(57)【要約】【課題】枚葉紙搬送方向１７に循環駆動される通気性サクションベルト３と、各々複数の吸口１０を有する相前後して設けられたサクションボックス８，９とを備え、第１のサクションボックス８が積紙に後置され第２のサクションボックス９が紙差し台２に前置されるベルトテーブルを有する、枚葉紙加工機械の積紙から紙差し台へずり重なり枚葉紙流れを供給するための装置において、枚葉紙列の先頭の枚葉紙を問題なく紙差しゲージに突きつけ、場合によっては側端を整列させることができるように簡単な手段により改良する。【解決手段】第２のサクションボックス９において、サクションベルト３の軌道の幅ｂにわたって存在する吸口１０の有効吸引面積Ｆの和を枚葉紙搬送方向に減少させる。【選択図】図２
2008024515.tif 000002
【特許請求の範囲】
【請求項１】
枚葉紙加工機械の積紙から紙差し台（２）へずり重なり枚葉紙の流れを供給するための装置であって、枚葉紙搬送方向（１７）に循環駆動される少なくとも１個の通気性サクションベルト（３）と、複数の吸口（１０）を有するとともに吸気が働く少なくとも２個の相前後して配置されたサクションボックス（８、９）と、を備え、第１のサクションボックス（８）が積紙に後置されるとともに第２のサクションボックス（９）が紙差し台（２）に前置されるベルトテーブルを有するものにおいて、
第２のサクションボックス（９）において、有効吸引面（Ｆ）を有する吸口（１０）を、サクションベルト（３）の軌道の幅（ｂ）にわたって存在する有効吸引面（Ｆ）の和が枚葉紙搬送方向に減少するようにしたことを特徴とする装置。
【請求項２】
有効吸引面（Ｆ）の和が枚葉紙搬送方向（１７）に漸進的、漸減的又は線形に減少することを特徴とする請求項１に記載の装置。
【請求項３】
各サクションボックス（８、９）に等しい又は異なる真空が働くことを特徴とする請求項１に記載の装置。
【発明の詳細な説明】
【技術分野】
【０００１】
本発明は、枚葉紙搬送方向に循環駆動される少なくとも１個の通気性サクションベルトと、吸口を備え、吸気が働く少なくとも２個の相前後して配置されたサクションボックスとを装備し、第１のサクションボックスを積紙に後置し、第２のサクションボックスを紙差し台に前置したベルトテーブルを有する枚葉紙加工機械の積紙から紙差し台へずり重なり枚葉紙の流れを供給するための装置に関する。
【背景技術】
【０００２】
このような装置は周知である。給紙機によって積紙から分離された枚葉紙がずり重なり枚葉紙の流れとして、少なくとも１個のサクションベルトを有するベルトテーブルによって捕捉され、紙差し台へ搬送される。ベルトテーブルの給紙機寄りの区域に第１のサクションボックスが設けられ、給紙機によって分離された枚葉紙を受領するためにサクションベルトに真空を送る。ずり重なり枚葉紙列はサクションベルトによって保持され、前端の整列のために枚葉紙列のそれぞれ先頭の枚葉紙の前端を紙差し台に配置される紙差しゲージに向けて、枚葉紙搬送方向に紙差し台へ搬送される。その際この枚葉紙は紙差し台寄りの第２のサクションボックスに働く真空によりサクションベルトに保持される。
【０００３】
枚葉紙列のそれぞれ先頭の枚葉紙の整列の後に、枚葉紙の側端を整列することができる。その場合一方では整列される枚葉紙はその前端が確実に紙差しゲージに突きつけられるようにサクションベルトによって運ばれなければならず、他方では突きつけたときに前端が損傷せず、その後の横整列が可能であるように、サクションベルトに働く保持力を設定しなければならない。
【０００４】
これを実現するために、ドイツ特許公開ＤＥ３８３８０７８Ａ１は紙差し台寄りのサクションボックスの作動サイクル時の真空のレベルを制御することを提案する。その場合このサクションボックスは交互に真空作動及び真空解除になるという。
【０００５】
作動サイクル時の真空の制御が面倒であり、低速機にしか適さないのが欠点である。高性能機の場合は毎秒少なくとも５枚の枚葉紙を突きつけ、従ってサクションボックスを５回真空作動及び真空解除に制御することが必要になるからである。
【０００６】
ドイツ特許公開ＤＥ１９７２８０５６Ａ１では逐次配置された多数のサクションチャンバを有する、枚葉紙の流れの搬送のためのサクションベルトテーブルが記述される。各サクションチャンバは圧力又は真空の発生のためにベンチレータを備えており、各ベンチレータは別個に制御することができる。このサクションベルトテーブルは、多数のサクションチャンバとサクションチャンバの個別の制御のため、多額の費用をかけなければ実現できない。
【０００７】
複数個のサクションチャンバが異なる圧力を有し、面倒な制御によって単数又は複数の真空発生装置と空気圧的に連動する別のサクションベルトテーブルがドイツ特許公開ＤＥ１０２１３０７５Ａ１により周知である。多額の費用と種々の圧力状態の調整が面倒なことが欠点である。
【０００８】
最後に、少なくとも１個の通気性サクションベルトと、吸口を介してサクションベルトと連動するサクションボックスとを有するずり重なり枚葉紙の流れの搬送装置がドイツ特許公開ＤＥ１９８１７１７５Ａ１により周知である。サクションボックスの紙差し台寄りの区域では、吸口が切換え式の開閉手段を備えており、開閉手段は作動サイクル時に作動される。このため多額の費用が生じる。
【特許文献１】ドイツ国特許公開公報ＤＥ３８３８０７８Ａ１
【特許文献２】ドイツ国特許公開公報ＤＥ１９７２８０５６Ａ１
【特許文献３】ドイツ国特許公開公報ＤＥ１０２１３０７５Ａ１
【特許文献４】ドイツ国特許公開公報ＤＥ１９８１７１７５Ａ１
【発明の開示】
【発明が解決しようとする課題】
【０００９】
本発明の課題は、枚葉紙列のそれぞれ先頭の枚葉紙が問題なく紙差しゲージに突きつけられ、場合によっては側端を整列することができるように、ずり重なり枚葉紙の流れの供給のための上記類別に基づく装置を簡単な手段により改良することである。
【課題を解決するための手段】
【００１０】
この課題は本発明に基づき請求項１の特徴を有する装置によって解決される。
【００１１】
本発明に基づく解決策によれば、整列される枚葉紙が問題なく紙差しゲージに突きつけられ、場合によっては側端を整列することができるように、紙差し台に前置されたサクションボックスの保持力を安いコストで制御することが可能である。
【発明を実施するための最良の形態】
【００１２】
本発明を実施例について詳述する。
【００１３】
図１にサクションベルトテーブル１と後置の紙差し台２の側面概略図を示す。サクションベルトテーブル１は少なくとも１個のサクションベルト３を有する。サクションベルト３は上側コーナロール４と下側コーナロール５に通され、２個のロール６によって緊張される。サクションベルト３を案内するテーブルプレート７がコーナロール４、５の間に配置されている。テーブルプレート７には、図示しない給紙機寄りの第１のサクションボックス８及び紙差し台２寄りの第２のサクションボックス９が設けられている。サクションボックス８、９の間に別のサクションボックスを設けることができる。サクションボックス８、９は、任意の吸引面Ｆを有しテーブルプレート７を貫通する吸口１０を介してサクションベルト３と連動する。第１のサクションボックス８に第１の真空接続管１１、第２のサクションボックス９に第２の真空接続管１２が設けられている。サクションボックス８、９は真空接続管１１、１２を介して真空源に接続される。サクションベルトテーブル１に紙差し台２が後置され、そのうち紙差し板１４が示されている。紙差し台２での紙差しゲージ１３の位置が示されている。紙差しゲージ１３は作動サイクル時に、紙差し台２に接した位置から紙差し台２から離脱した位置へ移される。循環するサクショベルト３によって枚葉紙搬送方向に送られ、紙差しゲージ１３に到達する直前の整列される枚葉紙１５が紙差し台２の上に示されている。整列される枚葉紙１５に、その下にずり重ねた後続枚葉紙１７が後置されている。
【００１４】
図２にサクションベルトテーブル１と後置の紙差し台２及び紙差し板１４の部分平面図を示す。サクションベルトテーブル１の下側コーナロール５、紙差し台２寄りの第２のサクションボックス９及び第２のサクションボックス９に前置された第１のサクションボックス８が示されている。サクションボックス８、９の区域のサクションベルト３の通路では、サクションベルトテーブル１のテーブルプレート７を吸口１０が貫通する。第１のサクションボックス８の吸口１０は、任意の区間Δｓの範囲内でこの区間Δｓに配置された吸口１０によって等しい真空が、それとともにサクションベルト３の保持する枚葉紙に対して等しい保持力が実現されるように形成され、かつサクションベルト３の通路の幅ｂに展開して配置されている。吸口１０によって実現される吸引面の和は等しい。
【００１５】
これと対照的に、第２のサクションボックス９に割り当てられた吸口１０は任意の区間Δｓの範囲内でこの区間Δｓに配置された吸口１０によって異なる真空が、それとともにサクションベルト３の保持する枚葉紙に対して異なる保持力が実現されるように形成され、かつサクションベルト３の通路の幅ｂに展開して配置されている。その場合吸口１０は、第１のサクションボックス８に面した区域の保持力が最も高く、紙差し台２に面した区域の保持力が最も低くなるように形成され又は配置されている。枚葉紙搬送方向に見て保持力が第２のサクションボックス９の長さｌにわたって、漸進的、漸減的又は線形に、最大保持力からゼロ寄りの保持力に近づくように、吸口１０を形成し又は配置することができる。
【００１６】
図示しない給紙機によって分離された枚葉紙はずり重ねられてサクションベルトテーブル１へ送られ、作動サイクル時に上側コーナロール４の方に引き寄せられるタッチロール１８に助けられて、サクションベルト３に捕捉される。枚葉紙に作用する保持力は、第１のサクションボックス８に形成される真空によって実現される。加工される枚葉形材料に適応するために、サクションボックス８、９に働く真空のレベルを調整できるようになっており、第１のサクションボックス８の真空は第２のサクションボックス９の真空と異なる。枚葉紙は図示しない駆動装置により駆動されるサクションベルト３によって、枚葉紙の流れとして枚葉紙搬送方向１７に搬送され、それぞれ先頭の枚葉紙が整列される枚葉紙として紙差し台２の上に運ばれる。
【００１７】
前端を紙差しゲージ１３に向けて、整列される枚葉紙１５を紙差し台２の上に運ぶとき、この枚葉紙はおおむね第２のサクションボックス９が準備する保持力によりサクションベルト３に保持される。紙差し台２の上で確実に搬送することができるためには、整列される枚葉紙１５をサクションベルト３が高い保持力で運ぶことがまず必要である。整列される枚葉紙１５の前端が紙差しゲージ１３に接近するときに、前端の損傷を回避するために、整列される枚葉紙１５は小さな保持力で運ばれなければならず、整列される枚葉紙１５を紙差しゲージ１３に突きつけた後も、整列される枚葉紙１５のリバウンドを回避するために、保持力がわずかに働くようにする。整列される枚葉紙１５が第２のサクションボックス９の準備する保持力によりサクションベルト３に保持されて紙差しゲージ１３に接近する過程で、後続の枚葉紙１６の前端は第１のサクションボックス８の準備する保持力に保持されて第２のサクションボックス９の作用区域に到達し、整列される枚葉紙１５に働く保持力が減少し始める。サクションベルト３の通路の幅ｂにわたって存在する有効吸引面（有効吸引面積）Ｆの和が枚葉紙搬送方向１７に次第に減少するように吸口１０をテーブルプレート７に配置することによって、整列される枚葉紙１５を次第に減少する保持力で運搬し、こうして前端に従って、場合によっては側端に従って問題なく整列することができる。
【図面の簡単な説明】
【００１８】
【図１】サクションベルトテーブルの側面概略図を示す。
【図２】サクションベルトテーブルの平面概略図を示す。
【符号の説明】
【００１９】
１  サクションベルトテーブル
２  紙差し台
３  サクションベルト
４  上側コーナロール
５  下側コーナロール
６  ロール
７  テーブルプレート
８  第１のサクションボックス
９  第２のサクションボックス
１０  吸口
１１  第１の真空接続管
１２  第２の真空接続管
１３  紙差しゲージ
１４  紙差し板
１５  整列される枚葉紙
１６  後続の枚葉紙
１７  枚葉紙搬送方向
１８  タッチロール
ｂ  幅
Δｓ  区間
ｌ  長さ
Ｆ  有効吸引面（有効吸引面積）
【図１】
2008024515.tif 000003
【図２】
2008024515.tif 000004